(57)【要約】【課題】冷却空気が通過し易く、且つ、異物による目詰まりが発生し難いようにエアフィルタを装着したプロジェクタを提供する。【解決手段】投射装置部２を冷却する冷却空気１４を導入するための吸気ユニット５を備えたプロジェクタであって、吸気ユニット５は、冷却空気を導入するための受部開口５８および受部開口５８の周囲に設けられた受溝部５６を有する受部５１と、少なくとも受部開口５８を覆い、冷却空気から異物を除去するエアフィルタ５２と、受部５１との間にエアフィルタ５２を挟持し、エアフィルタ５２の外周部５２ａの全周を受溝部５６へ押し込む押圧部６０を有する蓋部５３と、を有することを特徴とする。【選択図】図６
2009115887.tif 000002
【特許請求の範囲】
【請求項１】
光源部から射出された光束を画像信号に応じて変調して投射するための投射装置部と、
前記投射装置部を冷却する冷却空気を導入するための吸気ユニットと、を備えたプロジェクタであって、
前記吸気ユニットは、
前記冷却空気を導入するための開口を有する受部と、
少なくとも前記開口を覆い、前記冷却空気から異物を除去するエアフィルタと、
前記受部との間に前記エアフィルタを挟持し、前記エアフィルタの外周部を押圧する押圧部を有する蓋部と、を有することを特徴とするプロジェクタ。
【請求項２】
請求項１に記載のプロジェクタにおいて、
前記蓋部の前記押圧部は、前記エアフィルタの前記外周部と対向するように突起が形成された突起部を有し、
前記受部は、前記エアフィルタを介して前記突起部を挿入するための受溝部を有していることを特徴とするプロジェクタ。
【請求項３】
請求項２に記載のプロジェクタにおいて、
前記突起部および前記受溝部は、前記外周部の全周に沿って押圧を付与するように形成されていることを特徴とするプロジェクタ。
【請求項４】
請求項１から３のいずれか一項に記載のプロジェクタにおいて、
前記受部は、前記冷却空気の流れの下流側に位置し、前記エアフィルタを位置決めするためのガイド部を有することを特徴とするプロジェクタ。
【発明の詳細な説明】
【技術分野】
【０００１】
本発明は、交換式のエアフィルタを備えたプロジェクタに関する。
【背景技術】
【０００２】
従来、プロジェクタの吸気口には、導入する冷却空気に含まれる塵等を除去するためのエアフィルタが取り付けられている。この吸気口は、凹状の形状に形成されたエアフィルタ収納部の底部に設けられていて、格子状の開口をなしている。エアフィルタは、この吸気口を覆うように配置され、さらに、エアフィルタ収納部の凹状部と係合して取り付けられるエアフィルタ交換蓋によって、吸気口へ押し付けられている。エアフィルタ交換蓋は、エアフィルタ収納部と同様の格子状の開口を有しており、双方の格子状部によって、エアフィルタの全面がほぼ均等に押圧されている。これにより、エアフィルタは、反りや位置ズレ等が生じることなく所定位置へ正しく収納される。このような構成により、冷却空気は、エアフィルタ交換蓋とエアフィルタ収納部とで押圧されたエアフィルタを通過して、清浄な状態で導入される（例えば特許文献１参照）。
【０００３】
【特許文献１】特開２００４−１０９７８１号公報
【発明の開示】
【発明が解決しようとする課題】
【０００４】
しかし、従来の技術では、エアフィルタの外周部を含め両面を格子状部で押圧しているため、圧縮されたエアフィルタは、冷却空気がエアフィルタを通らずに外周部等から浸入することを抑制できるが、圧縮されたことによって、冷却空気が通過し難くなり、塵等による目詰まりも起き易い、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例にかかるプロジェクタは、光源部から射出された光束を画像信号に応じて変調して投射するための投射装置部と、前記投射装置部を冷却する冷却空気を導入するための吸気ユニットと、を備えており、前記吸気ユニットは、前記冷却空気を導入するための開口を有する受部と、少なくとも前記開口を覆い、前記冷却空気から異物を除去するエアフィルタと、前記受部との間に前記エアフィルタを挟持し、前記エアフィルタの外周部を押圧する押圧部を有する蓋部と、を有することを特徴とする。
【０００７】
このプロジェクタによれば、吸気ユニットは、蓋部と受部とでエアフィルタを挟持し、さらに蓋部の押圧部により、エアフィルタの外周部を押圧して所定位置へ保持する構成である。つまり、押圧により圧縮されたエアフィルタの外周部では、冷却空気がエアフィルタを通過できない遮断された状態となっていて、冷却空気は、エアフィルタおよび受部の開口を通ったもののみがプロジェクタへ導入されるようになっている。エアフィルタは、外周部以外の部分では押圧等の拘束を受けておらず、従って、受部の開口と対面している部分では、フィルタとしての通気性および冷却空気に含まれる異物の除去等の機能を、フルに発揮することが可能である。このような構成の吸気ユニットに用いられるエアフィルタは、受部の開口を覆い、押圧部の作用する外周部が設けられる大きさであれば良く、また、受部と蓋部とを離反させれば、エアフィルタが押圧部の押圧から開放され、エアフィルタの交換、清掃がすばやく行える。
【０００８】
［適用例２］上記適用例にかかるプロジェクタにおいて、前記蓋部の前記押圧部は、前記エアフィルタの前記外周部と対向するように突起が形成された突起部を有し、前記受部は、前記エアフィルタを介して前記突起部を挿入するための受溝部を有していることが好ましい。
【０００９】
この構成によれば、蓋部の押圧部は、エアフィルタを受部に押し付けるだけでなく、押圧部に形成された突起部をエアフィルタと共に受部の受溝部へ挿入する構成である。エアフィルタを受溝部に押し込むことにより、蓋部と受部との間隙のバラツキによってエアフィルタへの押圧が異なった場合でも、受溝部と受溝部に押し込まれた突起部との間でエアフィルタをほぼ同一の状態に圧縮でき、押圧の強弱に関わらず冷却空気の遮断が確実に行える。また、エアフィルタは、受部の開口と対面する部分が何ら押圧等を受けない状態であるが、突起部および受溝部によって、所定位置へ強固に設置することが可能である。この構成によれば、受部の開口の形状とエアフィルタの外周部の形状とが相似でない場合等において、外周部における冷却空気の流れや圧力が異なっても、エアフィルタを通らずに冷却空気が浸入し易い部分である、開口と外周部との近接位置に突起部および受溝部を設けることにより、外周部における冷却空気の遮断がより的確に行える。
【００１０】
［適用例３］上記適用例にかかるプロジェクタにおいて、前記突起部および前記受溝部は、前記外周部の全周に沿って押圧を付与するように形成されていることが好ましい。
【００１１】
この構成によれば、エアフィルタの外周部の全周に沿って突起部および受溝部を設けているため、受部の開口およびエアフィルタの外周部の形状に対応して、突起部および受溝部の設置位置を検討することが不要となり、設計の軽減が図れる。さらに、突起部と受溝部とでエアフィルタの外周部の全周を圧縮して封止することにより、蓋部と受部とによるエアフィルタの挟持間隔に影響されることなく、エアフィルタの外周部における冷却空気の遮断が全周に渡って確実になされ、プロジェクタ内への異物浸入を防止することが可能である。
【００１２】
［適用例４］上記適用例にかかるプロジェクタにおいて、前記受部は、前記冷却空気の流れの下流側に位置し、前記エアフィルタを位置決めするためのガイド部を有することが好ましい。
【００１３】
この構成によれば、蓋部から吸気された冷却空気が受部の開口を通過してプロジェクタ内へ導入される配置であり、蓋部は、プロジェクタの外部側から受部へ取り付けられて、エアフィルタを挟持する。これにより、受部に対して、蓋部の着脱およびエアフィルタの着脱を、吸気ユニットの設置位置に関わらず、容易に行うことが可能である。また、受部のガイド部によって、エアフィルタを位置決めしているため、蓋部の押圧部は、エアフィルタが受部の開口を確実に覆った状態を保持して、エアフィルタの外周部を押さえることが可能である。
【発明を実施するための最良の形態】
【００１４】
以下、プロジェクタの具体的な実施形態について図面に従って説明する。本実施形態のプロジェクタは、光源部から射出された光束を画像信号に応じて液晶パネルで変調し、変調した画像光を投射部からスクリーンへ投射する投射装置部と、画像信号に関連する画像を再生するＤＶＤプレーヤー部とが一体化された装置である。このプロジェクタは、冷却空気を導入するための吸気ユニットに特徴を有している。
（実施形態）
【００１５】
まず、プロジェクタの外観仕様について説明する。図１（ａ）は、本実施形態にかかるプロジェクタを正面右方から見た斜視図であり、図１（ｂ）は、プロジェクタを正面左方から見た斜視図である。図１に示すように、プロジェクタ１は、略直方体形状の外観をなしていて、上部側に配置された投射装置部２と、下部側に配置されたＤＶＤプレーヤー部３と、を備えている。投射装置部２は、上面、正面、背面、右側面および左側面を形成する上部外装２１を有し、上部外装２１の上面には、背面側左方に位置し、光源部のランプを交換するために開閉可能な光源蓋２１ａと、上面の略中央部に位置し、プロジェクタ１を操作するための操作ボタン類を有する操作部２２と、正面側右方にあって開閉自在にスライドし、開状態において投射部のフォーカス調整を可能にするフォーカスカバー２７と、キャリング用のハンドル２８と、が設けられている。
【００１６】
また、上部外装２１の正面には、投射部から投射された画像光が通過する投射口２３と、フォーカスカバー２７と連動して投射口２３を開閉する投射口カバー２６と、が設けられている。即ち、このプロジェクタ１は、画像光が投射されたスクリーンを鑑賞する側と同じ側に設置される、いわゆるフロントタイプのものである。さらに、上部外装２１の右側面正面寄りには、投射装置部２を冷却する冷却用の空気を投射装置部２の内部へ取り入れるための主吸気口２４を有する吸気ユニット５が設けられ、上部外装２１の左側面正面寄りには、冷却用の空気を排気するための排気口２５が設けられている。
【００１７】
そして、ＤＶＤプレーヤー部３は、正面、右側面、左側面、背面および下面を形成する下部外装３１を有し、下部外装３１の正面には、ＤＶＤを再生するために挿入するＤＶＤ挿入部３２と、ＤＶＤ挿入部３２からＤＶＤを抜き出すためのイジェクトボタン３３と、が設けられている。また、下部外装３１の右側面には、ＤＶＤプレーヤー部３の内部へ冷却用の空気を取り入れるための副吸気口３４が設けられ、下部外装３１の右側面および左側面には、背面側内部の左右に配置されている２つのスピーカーにそれぞれ対応するカバー部１５が設けられている。なお、副吸気口３４から取り入れられた冷却用の空気は、吸気ユニット５から取り入れられた冷却用の空気と共に、排気口２５から排気される。
【００１８】
次に、上部外装２１の内部に収容されている投射装置部２の機構部について説明する。図２は、投射装置部の機構部の構成を示す斜視図である。投射装置部２とＤＶＤプレーヤー部３とは、図２に示すように、区画部材６によって仕切られていて、この区画部材６に、投射装置部２の機構部が載置されている。
【００１９】
投射装置部２の機構部は、吸気ユニット５から冷却空気１４を取り入れるための吸気ファン１０と、吸気ファン１０が取り込んだ冷却空気１４を機構部へ導くためのダクト１１と、吸気ファン１０に隣接し、上部外装２１の投射口２３（図１）を通して画像光を投射する投射部４５と、区画部材６の正面側にあって一端が排気口２５と隣接して位置する電源部８と、電源部８の他端の背面側にあって電源部８へ冷却空気１４を送る内部ファン９と、電源部８の背面側に排気口２５に対して斜めに対向して位置する排気ユニット７と、を有している。さらに、機構部は、排気ユニット７から投射部４５にかけて上面側から見て略Ｌ字状に配置された光学ユニット４（４１，４２，４３，４４，４５）と、光学ユニット４の上方に設けられた回路基板１２と、回路基板１２の背面側に設けられ、ＤＶＤプレーヤー部３以外の再生装置と投射装置部２とを接続するための数種のコネクタ端子２９と、を有している。
【００２０】
投射装置部２の主要機構部である光学ユニット４は、排気ユニット７の近傍にあり光源部を有するインテグレータ照明部４１と、色分離部４２と、リレー光学部４３と、３枚の液晶パネル（不図示）を光学変調素子として有する光学変調部４４と、光学変調部４４に接続されている投射部４５と、で構成されている。図２では、液晶パネルと回路基板１２とを接続するための３本のＦＰＣ（Frexible Prinnted Circuit board、フレキシブル配線基板）４６が表されている。このような構成の光学ユニット４は、略Ｌ字状の筐体に収容されて、区画部材６に載置されている。
【００２１】
ここで、光学ユニット４の機能について、簡単に説明する。インテグレータ照明部４１は、光源部の光源ランプから光束を射出し、光学変調部４４において、赤、緑、青の色光にそれぞれ対応して設けられている３枚の液晶パネルの画像形成領域を、光束がほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部４５の投射レンズによって拡大して投射され、スクリーン等に映像として映し出される。
【００２２】
このような機能を有する光学ユニット４を冷却する冷却空気１４は、吸気ファン１０によって吸気ユニット５から導入され、さらにダクト１１で導かれて光学ユニット４を冷却した後、他の機構部を冷却した冷却空気１４と共に排気口２５から排気される。また、ＤＶＤプレーヤー部３を冷却する空気は、副吸気口３４から導入され、ＤＶＤプレーヤー部３の冷却に供された後、排気ユニット７近傍の区画部材６に設けられた区画開口（不図示）を通って、排気ユニット７へ吸引され排気される。即ち、このＤＶＤプレーヤー部３を冷却する空気は、排気ユニット７による排気の流れに誘引されることにより、副吸気口３４から排気ユニット７へ至る流路を形成している。
【００２３】
次に、プロジェクタ１の投射装置部２を冷却する冷却空気１４を導入するための吸気ユニット５について説明する。図３は、吸気ユニットの構成を示す斜視図である。図３に示すように、吸気ユニット５は、冷却空気１４（図２）に含まれる塵埃等の異物を除去するエアフィルタ５２と、エアフィルタ５２を挟持するための蓋部５３および受部５１と、を有している。この場合、エアフィルタ５２は、異物を除去して冷却空気１４のみ通過させるスポンジ状のウレタンであり、矩形の板状をなしている。
【００２４】
蓋部５３は、エアフィルタ５２と相似の矩形をなし、複数の貫通口からなる主吸気口２４が設けられている基部５９と、基部５９から突起し、主吸気口２４の最外周に沿って矩形状の突起部６２が形成された押圧部６０と、基部５９の押圧部６０と反対側に設けられ、蓋部５３を受部５１から取り外すためのノッチ５９ａと、を有している。この場合、押圧部６０は、エアフィルタ５２の外縁に沿う外周部５２ａを押圧する設定となっている。また、受部５１は、エアフィルタ５２の外縁より大きな相似形をなす受部枠５４と、エアフィルタ５２を載置するために受部枠５４に設けられた凹部５５と、凹部５５の底面中央に設けられ、冷却空気１４を投射装置部２内へ導入するための開口である受部開口５８と、を有していて、この受部開口５８の凹部５５と反対側は、吸気ファン１０（図２）に接続されている。
【００２５】
次に、図４は、受部の外観を示す斜視図であり、凹部５５の側を詳細に表している。図４に示すように、受部５１の凹部５５は、凹部５５の底面をなしているフィルタ受面５５ａと、凹部５５の立面をなしてエアフィルタ５２（図３）の位置決めをしているガイド部としてのフィルタガイド面５５ｂと、を有している。この構成により、エアフィルタ５２は、フィルタガイド面５５ｂで位置決めされつつフィルタ受面５５ａまで押し込まれ、受部開口５８の全面を覆った状態となって凹部５５に載置される。受部開口５８は、エアフィルタ５２の外周部５２ａより小さな開口であって、開口面には、受部枠５４の強度向上を図ると共に、冷却空気１４（図２）を整流化してスムーズに流動させるための整流桟５７が設けられている。整流桟５７は、主に複数のリング状部からなり、リング状部が開口面と略平行に波紋状に設けられている。
【００２６】
さらに、凹部５５のフィルタ受面５５ａは、エアフィルタ５２の外周部５２ａに対向する位置に受溝部５６を有している。この受溝部５６には、蓋部５３の押圧部６０（図３）がエアフィルタ５２の外周部５２ａを介した状態で挿入されるため、挿入後のエアフィルタ５２は、受部開口５８の全周に沿う外周部５２ａの位置で封止される。これにより、冷却空気１４が、エアフィルタ５２を介さずにエアフィルタ５２の外周の隙間等から受部開口５８へ浸入することを防止でき、エアフィルタ５２を通過した冷却空気１４のみが、吸気ファン１０で吸引されて、受部開口５８から投射装置部２内へ導入されるようになっている。
【００２７】
そして、図５は、蓋部を突起部６２側から見た外観を示す斜視図である。図５に示すように、基部５９に設けられている主吸気口２４は、周囲を押圧部６０に囲まれているため、主吸気口２４から吸気される冷却空気１４（図２）は、押圧部６０にガイドされてその内側を流動することになる。つまり、主吸気口２４からの冷却空気１４は、すべてエアフィルタ５２の外周部５２ａより内側部分を通過するように導かれる。
【００２８】
また、蓋部５３は、押圧部６０の各矩形辺の外側にそれぞれ位置決め突起６１を有している。これら位置決め突起６１は、蓋部５３を、図３に示す受部５１へ、エアフィルタ５２を介して取り付ける時に、受部５１のフィルタガイド面５５ｂ（図４）と蓋部５３の押圧部６０との間隙に挿入され、間隙による蓋部５３の取り付け位置の偏りを防止するためのものである。この位置決め突起６１により、押圧部６０は、エアフィルタ５２の外周部５２ａの位置を確実に押さえることができる。
【００２９】
このような構成の吸気ユニット５において、エアフィルタ５２、蓋部５３および受部５１の相互関連を断面図に基づいて説明する。図６（ａ）は、蓋部を取り付ける前の吸気ユニットの状態を示す断面図であり、図６（ｂ）は、蓋部を取り付けた後の吸気ユニットの状態を示す断面図である。図６（ａ）、（ｂ）は、図２に示すＡ−Ａ'の断面である。まず、受部５１へのエアフィルタ５２の載置は、図６（ａ）に示すように、エアフィルタ５２を受部５１のフィルタガイド面５５ｂに沿わせて、フィルタ受面５５ａに当接するまで押し込む。この状態で、エアフィルタ５２は、受部５１の受部開口５８の全面を覆うように載置され、エアフィルタ５２の外周部５２ａは、受部５１の受溝部５６と対向するように位置している。
【００３０】
エアフィルタ５２の載置後、蓋部５３の押圧部６０の側をエアフィルタ５２に向けて、蓋部５３の取り付けを行う。蓋部５３の取り付けの際には、位置決め突起６１がフィルタガイド面５５ｂに沿って摺動状態になり、押圧部６０および位置決め突起６１が凹部５５へ挿入される。これにより、蓋部５３は、エアフィルタ５２および受部５１に対して、押圧部６０が外周部５２ａおよび受溝部５６と対向する正しい位置関係を、常に保持した状態で取り付けられる。即ち、押圧部６０の先端は、エアフィルタ５２の外周部５２ａと対向して位置しており、外周部５２ａを受溝部５６へ確実に押し込んで封止することができる。
【００３１】
図６（ｂ）は、このようにして蓋部５３が受部５１に取り付けられた状態を示している。図６（ｂ）に示すように、エアフィルタ５２は、押圧部６０によって外周部５２ａの部分のみが押圧封止されていて、外周部５２ａより内側の部分は、押圧されていない。従って、エアフィルタ５２は、通気性が確保されていると共に、冷却空気１４に含まれる異物を除去するフィルタの役目を十分に果たすことができる。また、冷却空気１４は、主吸気口２４から押圧部６０に囲まれた内筒部を経てエアフィルタ５２に至り、エアフィルタ５２を通過したものだけが、受部開口５８を経て投射装置部２（図２）内へ導入される。そのため、投射装置部２（図２）は、清浄な状態の冷却空気１４によって冷却されるため、塵埃等の異物による投射不良等の発生を長期間抑制することができる。
【００３２】
以下、実施形態におけるプロジェクタ１の主な効果をまとめて記載する。
【００３３】
プロジェクタ１の吸気ユニット５は、蓋部５３の押圧部６０によってエアフィルタ５２を受部５１の受溝部５６に押し込み、エアフィルタ５２の外周部５２ａの全周を押圧封止している。これにより、外周部５２ａと受部開口５８とが近接していても、投射装置部２を冷却するための冷却空気１４が、エアフィルタ５２の外周からエアフィルタ５２を通らずに、異物と共に導入されることを確実に防止できる。投射装置部２は、異物浸入の影響を受けることなく、カラー画像の投射を行える。
【００３４】
また、吸気ユニット５に取り付けられたエアフィルタ５２は、外周部５２ａ以外の部分が押圧されていないため、押圧によってメッシュが細かくなり初期状態から通気性が阻害されるようなことがない。そのため、吸気ユニット５は、十分な冷却空気１４を投射装置部２へ供給でき、同時に、早期に目詰まりが発生することも抑制できる。
【００３５】
吸気ユニット５は、受部５１を投射装置部２に固定し、蓋部５３が投射装置部２の外部側から容易に着脱可能な構成であり、エアフィルタ５２の載置についても、受部５１のフィルタガイド面５５ｂに沿って容易に行うことができる。
【００３６】
また、プロジェクタ１は上記の実施形態に限定されるものではなく、次に挙げる変形例のような形態であっても、実施形態と同様な効果が得られる。
【００３７】
プロジェクタ１は、投射装置部２にＤＶＤプレーヤー部３を一体化して備えている構成であるが、この構成に限定されるものではなく、投射装置部２とＤＶＤプレーヤー部３以外の機器とを一体にしたものや、投射装置部２のみであっても良い。
【００３８】
プロジェクタ１の吸気ユニット５は、エアフィルタ５２として、スポンジ状のウレタンを用いているが、通気性があり異物を除去できれば、不織布等を用いる構成であっても良い。プロジェクタ１の設置環境に応じて、最適のエアフィルタ５２を選択できる。
【００３９】
そして、このエアフィルタ５２は、矩形の形状をなしているが、矩形形状に限定されることなく、円形や楕円形等の形状であっても良い。同様に、受部５１の受部開口５８についても、エアフィルタ５２または吸気ファン１０の形状に応じて、矩形以外の形状であっても良い。
【００４０】
また、押圧部６０は、エアフィルタ５２の外周部５２ａの全周を受溝部５６へ押し込んで封止する構成であるが、外周部５２ａの一部分のみを押し込む構成であっても良い。つまり、外周部５２ａの吸気ファン１０の吸引により冷却空気１４の流れの速くなる箇所にのみ、押圧部６０および受溝部５６を設け、他の箇所は、フィルタ受面５５ａと突起量を少なくした押圧部６０とで外周部５２ａを押さえて封止するような構成である。さらに、エアフィルタ５２の外周部５２ａと受部開口５８とが近接していなければ、受溝部５６を設けずに、フィルタ受面５５ａと押圧部６０とで、外周部５２ａを押さえて封止しても良い。
【００４１】
蓋部５３と受部５１との位置決めをするために、蓋部５３に位置決め突起６１が設けられているが、この位置決め突起６１を廃止して、基部５９の最外周面が位置決め突起６１の代わりにフィルタガイド面５５ｂに当接する構成であっても良い。
【００４２】
プロジェクタ１の投射装置部２は、光学変調部４４として液晶パネルを用いているが、液晶パネル以外のマイクロミラー等のデバイスを用いても良い。この対応により、種々の光学変調部を有する投射装置部２を用いることが可能となる。
【図面の簡単な説明】
【００４３】
【図１】（ａ）本実施形態にかかるプロジェクタを正面右方から見た斜視図、（ｂ）プロジェクタを正面左方から見た斜視図。
【図２】投射装置部の機構部の構成を示す斜視図。
【図３】吸気ユニットの構成を示す斜視図。
【図４】受部の外観を示す斜視図。
【図５】蓋部を突起部側から見た外観を示す斜視図。
【図６】（ａ）蓋部を取り付ける前の吸気ユニットの状態を示す断面図、（ｂ）蓋部を取り付けた後の吸気ユニットの状態を示す断面図。
【符号の説明】
【００４４】
１…プロジェクタ、２…投射装置部、３…ＤＶＤプレーヤー部、４…光学ユニット、５…吸気ユニット、７…排気ユニット、１０…吸気ファン、１４…冷却空気、２１…上部外装、２４…主吸気口、２５…排気口、３１…下部外装、３４…副吸気口、５１…受部、５２…エアフィルタ、５２ａ…外周部、５３…蓋部、５４…受部枠、５５…凹部、５５ａ…フィルタ受面、５５ｂ…フィルタガイド面、５６…受溝部、５７…整流桟、５８…受部開口、５９…基部、６０…押圧部、６１…位置決め突起、６２…突起部。
【図１】
2009115887.tif 000003
【図２】
2009115887.tif 000004
【図３】
2009115887.tif 000005
【図４】
2009115887.tif 000006
【図５】
2009115887.tif 000007
【図６】
2009115887.tif 000008